(57)【特許請求の範囲】
【請求項１】
コイルへの通電操作により駆動される可動鉄心を、一端に開口を備えた磁気ケース内に内装したソレノイド部と、弁ボディ内に、上記可動鉄心によって駆動されて複数のポート間の流路を切り替える弁体が配設された弁部を備え、上記ソレノイド部と上記弁部とが、上記磁気ケースの開口に、弁ボディの可動鉄心が作用する一端側を嵌入して結合されてなる電磁弁において、
上記弁ボディにおけるソレノイド部との結合端側の弁ボディの対向側面に係合用の凹部を設け、該凹部におけるソレノイド部との結合端側の内壁面を、該凹部の底に行くに従って該弁ボディにおけるソレノイド部との結合端側からその他端側に向かって傾斜する斜面に形成し、
一方、上記磁気ケースの開口側に位置する側壁には、上記凹部に対応する箇所に切り込みを設けることにより、該切り込みと側壁の開口端とで挟まれた領域からなるかしめ片を形成し、該かしめ片における切断面を上記凹部の斜面に当接させてかしめ込むことにより、該かしめ片が上記凹部の傾斜した内側壁を押圧して上記弁部とソレノイド部とが互いに嵌入する方向に付勢された状態で結合した、
ことを特徴とする電磁弁。
【請求項２】
上記可動鉄心を磁力により吸着する磁極面を上記磁気ケース内に形成する固定磁極部材の該磁極面と、磁気板の磁気ケースの開口側に位置する面との間の距離が一定になるように、磁気ケースに対して磁気板を位置決めして、該磁気板を磁気ケースの側壁に対して固定することによりソレノイド部を構成したことを特徴とする請求項１に記載の電磁弁。
【請求項３】
上記磁気ケースの側壁に設けられた切り込みは、該側壁の開口端側に開いたコ字形であって、該コ字形の切り込みに囲まれた領域が上記かしめ片として上記凹部にかしめ込まれていることを特徴とする請求項１または２に記載の電磁弁。
【請求項４】
上記磁気ケースの側壁に設けられた切り込みは、該側壁の開口端と平行な一文字状であって、該一文字状の切り込みと上記磁気ケースの開口端とで挟まれた領域が上記かしめ片として上記凹部にかしめ込まれていることを特徴とする請求項１または２に記載の電磁弁。
【請求項５】
上記磁気ケースの側壁に設けられた切り込みは、該側壁の開口端と平行に穿設された細長孔であって、該細長孔と上記磁気ケースの開口端とで挟まれた領域が上記かしめ片として上記凹部にかしめ込まれていることを特徴とする請求項１または２に記載の電磁弁。
【発明の詳細な説明】
【０００１】
【発明の属する技術分野】
本発明は、ソレノイド部及び弁部からなる電磁弁に関するものであり、特に小型化するのに適した構成を有する電磁弁に関するものである。
【０００２】
【従来の技術】
従来、この種の電磁弁として、実開平０６−０７１９８０号に開示されているものが知られている。その電磁弁は、一端を開口したカバー及び磁気枠内に、コイルが巻回されたボビン、ボビンの中心孔に装着された固定鉄心、ボビンの一端側に配置された磁気板、ボビンと磁気板の中心孔に摺動可能に挿入された可動鉄心、及び可動鉄心を元の位置に復帰させる復帰ばねが内設されたソレノイド部、並びに、弁本体に、複数のポート、これらのポートを連通させる通路中の弁座、及び可動鉄心で駆動され弁座を開閉する弁体が内設された弁部とから構成され、上記ソレノイド部と弁部は、弁部の側壁に凸設された爪部を磁気枠及びカバーの開口側に貫設された係合窓に係合すると共に、該係合部に対して磁気枠の底側に設けられた板バネによる弾性力を作用させることにより、相対的に結合されている。
【０００３】
【発明が解決しようとする課題】
しかしながら、上記従来の電磁弁は、ソレノイド部と弁部とを結合するにあたって、爪部と係合窓との係合部に板バネによる弾性力を作用させるという複雑な構造を必要とするため、全体的に大形化すると共にコスト高になり、しかもソレノイド部の組立と同時に弁部との組み付けを行うため、それらを同時に正確に行えるようにするための配慮が必要になるという問題点があった。
すなわち、ソレノイド部における可動鉄心と弁部における被駆動部分は比較的正確な位置的関係を保つように組立製造される必要があり、そのためには、ソレノイド部自体の組立を精度よく行うと同時に、ソレノイド部と弁部との間の位置決めを安定的でしかも正確に行えるようにし、しかも簡単な構造で十分な結合強度を得る必要があるが、上記従来の電磁弁においては、上記の問題点があるために、ソレノイド部の構造の一層の簡単化と組立及び弁部との結合をより簡単で安定的に行える手段の提供が望まれていた。
【０００４】
本発明は、上記のような問題点に鑑みてなされたものであって、その目的とするところは、ソレノイド部の構造の一層の簡単化と組立及び弁部との結合をより簡単で安定的に行えるようにした電磁弁を提供することにある。
また、本発明の他の目的は、弁部とソレノイド部のとの結合強度を、ソレノイド部を大形化することなく簡単かつ低コストにて確保することができる電磁弁を提供することにある。
【０００５】
【課題を解決するための手段】
上記目的を達成すべく、本発明に係る電磁弁は、コイルへの通電操作により駆動される可動鉄心を、一端に開口を備えた磁気ケース内に内装したソレノイド部と、弁ボディ内に、上記可動鉄心によって駆動されて複数のポート間の流路を切り替える弁体が配設された弁部を備え、上記ソレノイド部と上記弁部とが、上記磁気ケースの開口に、弁ボディの可動鉄心が作用する一端側を嵌入して結合されてなる電磁弁において、上記弁ボディにおけるソレノイド部との結合端側の弁ボディの対向側面に係合用の凹部を設け、該凹部におけるソレノイド部との結合端側の内壁面を、該凹部の底に行くに従って該弁ボディにおけるソレノイド部との結合端側からその他端側に向かって傾斜する斜面に形成し、一方、上記磁気ケースの開口側に位置する側壁には、上記凹部に対応する箇所に切り込みを設けることにより、該切り込みと側壁の開口端とで挟まれた領域からなるかしめ片を形成し、該かしめ片における切断面を上記凹部の斜面に当接させてかしめ込むことにより、該かしめ片が上記凹部の傾斜した内側壁を押圧して上記弁部とソレノイド部とが互いに嵌入する方向に付勢された状態で結合したことを特徴とするものである。
【０００６】
上記電磁弁においては、上記可動鉄心を磁力により吸着する磁極面を上記磁気ケース内に形成する固定磁極部材の該磁極面と、磁気板の磁気ケースの開口側に位置する面との間の距離が一定になるように、磁気ケースに対して磁気板を位置決めして、該磁気板を磁気ケースの側壁に対して固定することによりソレノイド部を構成するのが望ましい。
【０００７】
上記電磁弁において磁気ケースの側壁に設ける切り込みは、該側壁の開口端側に開いたコ字形であって、該コ字形の切り込みに囲まれた領域を上記かしめ片として上記凹部にかしめ込んだものとすることができ、また、上記切り込みを磁気ケースの側壁の開口端と平行な一文字状とし、該一文字状の切り込みと上記磁気ケースの開口端とで挟まれた領域を上記かしめ片として上記凹部にかしめ込んだものとすることができ、更に、上記切り込みを磁気ケースの開口端と平行に穿設した細長孔とし、該細長孔と上記磁気ケースの開口端とで挟まれた領域を上記かしめ片として上記凹部にかしめ込んだものとすることができる。
【０００８】
上記構成を有する電磁弁においては、弁ボディの対向側面に係合用の凹部を設け、該凹部におけるソレノイド部との結合端側の内壁面を、該凹部の底に行くに従って該弁ボディにおけるソレノイド部との結合端側からその他端側に向かって傾斜する斜面に形成し、一方、上記磁気ケースにおける上記凹部に対応する箇所に切り込みを設けることにより、該切り込みと側壁の開口端とで挟まれた領域からなるかしめ片を形成し、該かしめ片における切断面を上記凹部の斜面に当接させてかしめ込むことにより、該かしめ片が上記凹部の傾斜した内側壁を押圧して上記弁部とソレノイド部とが互いに嵌入する方向に付勢された状態で結合しているので、ソレノイド部の構造が前記従来例に比して一層簡単化され、しかも、弁部との結合をより簡単で安定的に行うことができ、また、その結合強度をソレノイド部を大形化することなく簡単かつ低コストにて確保することができる。
【０００９】
特に、磁気ケースの内端に固定鉄心を圧接した状態で、固定鉄心における可動鉄心側の端面と磁気板の磁気ケースの開口側に位置する面との間の距離が一定になるように、磁気ケースに対して磁気板を位置決めして、該磁気板を磁気ケースの側壁に対して固定することによりソレノイド部を構成すると、ソレノイド部自体の組立を精度よく行えると同時に、ソレノイド部と弁部との間の位置決めを安定的でしかも正確に行うことができる。
【００１０】
【発明の実施の形態】
以下、本発明に係る電磁弁の実施例を図面に基づいて詳細に説明する。
図１の（ａ）〜（ｃ）に示す電磁弁は、第１の実施例に係るものであり、ソレノイド部１０及び弁部２０を備えている。
【００１１】
ソレノイド部１０は、コイル１２が巻回されたボビン１３と、該コイル１２周りに周設され横断面が略長方形の側壁と該側壁と一体に形成された端壁とからなると共に、その一端に開口を備えた磁気ケース１１と、上記ボビン１３における上記磁気ケース１１の開口側に配置された磁気板１６と、断面略楕円または長円形の柱状で、磁気板１６及びボビン１３を貫通する中心孔に対して一端が磁気板１６側から摺動自在に嵌挿された可動鉄心１５と、断面略楕円または長円形の柱状で、上記磁気ケース１１の端壁上に配置されて、上記ボビン１３の中心孔内に嵌挿されると共に、上記可動鉄心１５の一端側を磁力により吸着する端面すなわち磁極面を備えた固定鉄心１４（固定磁極部材）とから構成され、上記磁気板１６の外周を該磁気ケース１１の側壁に溶接等の手段で固定することにより、上記ボビン１３及び固定鉄心１４が上記磁気ケース１１内で固定される。
【００１２】
そうすることにより、上記ボビン１３のコイル１２周りに磁路が形成されている。また、上記可動鉄心１５の弁部２０側には、該可動鉄心１５が固定鉄心１４に吸着された際に上記磁気板１６に当接する合成樹脂製のストッパ１７が圧入され、このストッパ１７の周囲の鍔部と磁気板１６との間には復帰ばね１８が縮設されている。
【００１３】
上記ソレノイド部１０において、コイル１２が非通電状態である場合には、図１の（ａ）の左半分に示すように、上記可動鉄心１５は、復帰ばね１８の付勢力により、上記固定鉄心１４から離間する方向であって、後述する弁部２０のプッシュロッド２２を押圧する方向に移動する。一方、コイル１２に通電されると、図１の（ａ）の右半分に示すように、上記固定鉄心１４が上記復帰ばね１８の付勢力に抗して可動鉄心１５を磁力により吸着し、該可動鉄心１５によるプッシュロッド２２に対する押圧力が開放される。
【００１４】
上記ソレノイド部１０の組立て工程としては、図２に示すように、まず、ワーク台３０上にソレノイド部１０の構成部品をセットする。上記ワーク台３０は、土台部３１と、その中央に立設され、磁気ケース１１の内径に整合する第１のコア部３２と、第１のコア部３２の中央に立設され、上記ボビン１３及び磁気板１６を貫通する中心孔の内径と整合する第２のコア部３３とを有し、該第２のコア部３３の長さは、ボビンの中心孔に嵌挿された固定鉄心１４（固定磁極部材）の端面すなわち磁極面と、上記磁気板１６の磁気ケース１１の開口側に位置する面との距離を規定する長さＬに形成されている。
【００１５】
次に、上記第２のコア部３３に磁気板１６の中心孔を嵌合させて磁気板１６を上記第１のコア部３２の上面に載置し、同様にして、ボビン１３の中心孔を上記第２のコア部３３に嵌合させて、ボビン１３を上記磁気板１６上に載置すると共に、中心孔に嵌挿された上記固定鉄心１４の端面を上記第２のコア部３３の頂面に当接させ、最後に磁気ケース１１の開口部を上記第１のコア部３２に合わせて嵌合することにより、上記ワーク台３０上に磁気板１６、ボビン１３、固定鉄心１４及び磁気ケース１１をセットする（図２（ａ）参照）。
【００１６】
そして、磁気ケース１１の端壁外面を押圧部材４０によって押圧して、上記第２のコア部３３の頂面に対して上記固定鉄心１４の端面を押圧し、それにより、磁気ケース１１の内端に固定鉄心１４を圧接した状態で、該固定鉄心１４の端面と上記磁気板１６の磁気ケース１１の開口側に位置する面との距離が前記Ｌとなるように、磁気ケース１１に対して磁気板１６が正確に位置決めされ、その位置で該磁気板１６の外周が磁気ケース１１の側壁に対して溶接等の手段で固定され（図２（ｂ）参照）、これらの行程を経ることによりソレノイド部１０（図２の（ｃ）参照）が完成する。
【００１７】
このように、ソレノイド部１０を組み立てるにあたって、固定鉄心１４の端面と上記磁気板１６の磁気ケース１１の開口側に位置する面との距離を正確に規定値Ｌに保つことができ、それにより、上記距離Ｌのばらつきを抑制することができるため、上記可動鉄心１５が上記固定鉄心１４の端面に吸着されて、ストッパ１７が磁気板１６に当接した際にも、中心孔内における固定鉄心１４の端面と可動鉄心１５の端面との位置関係をより適切に保つことができる。
【００１８】
更に、図１（ａ）に基づいて上記弁部２０について詳述すると、弁部２０は、入力ポートＰ、出力ポートＡ排出ポートＲ及びこれらを相互に連通する弁室２１ａとが内部に形成された、横断面が略長方形の弁ボディ２１と、上記弁室２１ａに収容された可動オリフィス２６及びポペット弁２３と、該ポペット弁２３と連結され前記可動鉄心１５に押圧されるプッシュロッド２２とを備えている。
上記可動オリフィス２６は、上記ポペット弁２３と接離して上記弁室２１ａに対して開閉される供給弁座２５と、上記入力ポートＰと上記供給弁座２５との間を連通すると共に、入力ポートＰからの流体圧を上記ポペット弁２３方向及びその逆方向に作用させるための第１作用面２６ｂ及び第２作用面２６ｃを与える管路２６ａとから構成されており、上記弁室２１ａ内において上記ポペット弁２３との接離方向に摺動自在に設けられている。なお、上記第１作用面２６ｂは、同時に流体圧が逆方向に作用する上記第２作用面２６ｃよりも流体圧作用面積が大きくなっている。
【００１９】
上記ポペット弁２３は、上記排出ポートＲが上記弁室２１ａに連通する位置に形成された排出弁座２４と、上記供給弁座２５との間に移動可能に配設され、上記ソレノイド部１０の動作により、上記両弁座を開閉するようになっている。
なお、上記可動オリフィス２６と上記ポペット弁２３との間にはポペットばね２３ａが縮設されている。また、弁室２１ａに上記可動オリフィス２６やポペット弁２３等を挿入するために、弁ボディ２１に開口された口部２７は、周囲にシール材２９が装着されたブッシュ２８により気密に閉塞されている。
【００２０】
このような構造を有するソレノイド部１０と弁部２０を結合した電磁弁は、ソレノイド部１０が非通電状態である場合には、図１の左半分に示すように、可動鉄心１５が、プッシュロッド２２を介してポペット弁２３を供給弁座２５に対して押圧して、排出弁座２４を開放することにより、出力ポートＡが弁室２１ａ及び排出弁座２４を介して排出ポートＲと連通され、上記出力ポートＡ及び弁室２１ａが大気圧となる。また、可動オリフィス２６は、入力ポートＰから供給される流体の流体圧が管路２６ａの上記両作用面２６ｂ，２６ｃに作用して、その差圧によりポペット弁２３方向に摺動し、供給弁座２５をポペット弁２３に接近させる。すなわち、ポペット弁２３と可動オリフィス２６が互いに近接し、上記供給弁座２５を閉鎖するようになっている。
【００２１】
一方、ソレノイド部１０に通電すると、図１の右半分に示すように、可動鉄心１５によるポペット弁２３の押圧が解除され、ポペットばね２３ａの付勢力によってポペット弁２３が供給弁座２５から離れ、排出弁座２４に着座する。そうすることにより、排出ポートＲと弁室２１ａとの間が遮断されると共に、上記出力ポートＡが弁室２１ａ、供給弁座２５及び管路２６ａを介して入力ポートＰと連通し、弁室２１ａの圧力が上昇するため、可動オリフィス２６がポペット弁２３から離れる方向に押し戻され、供給弁座２５がより広く開放される。
【００２２】
ところで、上記弁部２０とソレノイド部１０との結合構造について、図１、図３及び図４に基づき詳細に説明すると、弁部２０とソレノイド部１０とは、横断面が略長方形に形成された上記磁気ケース１１の開口に、同じく横断面が略長方形に形成された弁ボディ２１のプッシュロッド２２が突出している一端側を嵌入すると共に、弁ボディ２１の上記一端側の少なくとも一対の対向した側面に設けられた凹部２１ｂに対して、磁気ケース１１の開口側の側壁に設けられたかしめ片１１ｂをかしめ込むことにより結合されている。
【００２３】
ここで、上記凹部２１ｂは、図１（ｃ）及び図３に示すような断面形状を有し、すなわち、弁ボディ２１の上記一端側に位置する内壁面２１ｃが、凹部２１ｂの底に行くに従って弁ボディ２１の他端側に向けて傾斜する斜面によって形成され、凹部２１ｂの断面が全体として略台形となっており、また、上記凹部２１ｂの他端側には段部２１ｄが設けられている。一方、図１（ｂ）に示すように、上記弁ボディ２１を磁気ケース１１に嵌合した際に、上記磁気ケース１１の側壁の上記凹部２１ｂに対応する位置には、上記側壁の開口端側に開いたコ字形の切り込み１１ａが設けられ、その切り込み１１ａ、すなわち、側壁の開口端と略平行な１本の第１切断線１１ｄとその両端から該開口端に向けて略垂直に設けられた２本の第２切断線１１ｅによって囲まれた領域が上記かしめ片１１ｂを形成している。なお、かしめ片１１ｂと側壁の開口端とによって挟まれた領域は上記弁ボディ２１の段部２１ｄに支持されている。
【００２４】
そして、図３及び図４に示すように、上記弁ボディ２１を磁気ケース１１の開口に嵌合して、上記側壁の開口端を段部２１ｄに支持させた状態で、対向するかしめ片１１ｂをそれぞれ凹部２１ｂに向けて外側から押し込むと、図１（ｃ）に示すように、上記第１切断線１１ｄが与えるかしめ片１１ｂの切断面１１ｃの内面側角部が上記凹部２１ｂの傾斜した内壁面２１ｃに当接し、上記かしめ片１１ｂが外向きに屈曲して塑性変形しながら、切断面１１ｃの内面側角部及び／又はそれに連なるかしめ片１１ｂの内面の一部が上記内壁面２１ｃを押圧する。すなわち、該内壁面２１ｃに対して、上記磁気ケース１１の弁ボディ２１の嵌合方向に押圧力が作用すると共に、上記かしめ片１１ｂの塑性変形により該押圧力が維持されるため、結果としてソレノイド部と弁部との間で十分な結合強度を保つことができる。
【００２５】
図５は、本発明に係る電磁弁の第２の実施例を示すもので、上記弁ボディ２１を磁気ケース１１に嵌合した際に、上記磁気ケース１１の側壁の上記凹部２１ｂに対応する位置には、該側壁の開口端と略平行な一文字状の切り込み１１ｆが設けられ、該切り込み１１ｆと上記側壁の開口端とで挟まれる領域がかしめ片１１ｇを形成している。
【００２６】
そして、上記弁ボディ２１を磁気ケース１１の開口に嵌合して、対向するかしめ片１１ｇをそれぞれ凹部２１ｂに向けて外側から押し込むと、第１の実施例の場合と同様に、切り込み１１ｆが与えるかしめ片１１ｇの切断面の内面側角部が上記凹部２１ｂの傾斜した内壁面２１ｃに当接し、上記かしめ片１１ｇが外向きに屈曲して塑性変形しながら、かしめ片１１ｇ全体が上記凹部２１ｂに押し込まれる。そして切断面の内面側角部及び／又はそれに連なるかしめ片１１ｇの内面の一部が上記内壁面２１ｃを押圧する。よって結果として上記第１の実施例と同様の効果を奏する。
なお、第２の実施例の電磁弁のその他の構造及び作用については第１の実施例と同じであるため、重複を避けてそれらの説明を省略する。
【００２７】
図６は、本発明に係る電磁弁の第３の実施例を示すもので、上記弁ボディ２１を磁気ケース１１に嵌合した際に、上記磁気ケース１１の側壁の上記凹部２１ｂに対応する位置には、該側壁の開口端と略平行に穿設された細長孔からなる切り込み１１ｈが設けられ、該切り込み１１ｈと上記側壁の開口端とで挟まれる領域がかしめ片１１ｊを形成している。
【００２８】
そして、上記弁ボディ２１を磁気ケース１１の開口に嵌合して、対向するかしめ片１１ｊをそれぞれ凹部２１ｂに向けて外側から押し込むと、第１の実施例の場合と同様に、かしめ片１１ｊの切断面の内面側角部が上記凹部２１ｂの傾斜した内壁面２１ｃに当接し、上記かしめ片１１ｊが外向きに屈曲して塑性変形しながら、かしめ片１１ｊ全体が上記凹部２１ｂに押し込まれる。そして切断面の内面側角部及び／又はそれに連なるかしめ片１１ｊの内面の一部が上記内壁面２１ｃを押圧する。よって結果として上記第１の実施例と同様の効果を奏する。
なお、第３実施例の電磁弁のその他の構造及び作用については第１の実施例と同じであるため、重複を避けるために省略する。
【００２９】
なお、上記実施例において、磁気ケース１１は、一端が開口し、他端が側壁と一体に形成された端壁によって閉塞されていたが、他端にも開口を設け、磁性体からなる底蓋で閉塞するようにしてもよく、磁気ケース１１の横断面形状も略長方形に限らず、適宜の形状であってもよい。また可動鉄心及び固定鉄心は横断面が略楕円形の楕円柱から形成されていたが、円形など他の形状であっても良く、その際、同時に中心孔も各鉄心の断面形状に整合した形状となることは言うまでもない。更に、上記実施例においては、固定磁性部材としての固定鉄心を中心孔に嵌挿して固定していたが、固定磁極部材は、必ずしも中心孔に嵌挿する鉄心部を備えている必要はなく、中心孔の端部を塞ぐ板状のものであっても良い。
【００３０】
【発明の効果】
以上の説明から理解されるように、本発明に係る電磁弁によれば、弁ボディの一端側に位置する弁ボディ側面に、弁ボディにおけるソレノイド部との結合端側に位置する内壁面が底に行くに従って該弁ボディにおけるソレノイド部との結合端側からその他端側に向かって傾斜する斜面によって形成された凹部が対向して設けられ、一方、磁気ケースの開口側に位置する側壁には、上記凹部に対応する箇所に切り込みを設けることにより、該切り込みと側壁の開口端とで挟まれた領域からなるかしめ片を形成し、該かしめ片における切断面を上記凹部の斜面に当接させてかしめ込むことにより、該かしめ片が上記凹部の傾斜した内側壁を押圧して上記弁部とソレノイド部とが互いに嵌入する方向に付勢された状態で結合されているので、弁部とソレノイド部との高い結合強度を、ソレノイド部を大形化することなく簡単かつ低コストにて確保することができる。
【図面の簡単な説明】
【図１】本発明に係る電磁弁の第１の実施例を示すものであり、（ａ）は縦断面図であって、その左半分はコイルへの非通電時を示し、右半分はコイルへの通電時を示しており、（ｂ）は側面図、（ｃ）は、かしめ部の部分拡大断面図である。
【図２】（ａ）〜（ｃ）は、本発明に係る電磁弁の第１の実施例における、ソレノイド部の組立て工程を説明する断面図である。
【図３】本発明に係る電磁弁の第１の実施例における、かしめによる弁部とソレノイド部との結合方法について説明する部分拡大断面図である。
【図４】本発明に係る電磁弁の第１の実施例における、かしめによる弁部とソレノイド部との結合方法について説明する横断面図である。
【図５】本発明に係る電磁弁の第２の実施例を示すものであり、（ａ）は縦断面図であって、その左半分はコイルへの非通電時を示し、右半分はコイルへの通電時を示しており、（ｂ）は側面図、（ｃ）はＩ−Ｉ横断面図である。
【図６】本発明に係る電磁弁の第３の実施例を示すものであり、（ａ）は縦断面図であって、その左半分はコイルへの非通電時を示し、右半分はコイルへの通電時を示しており、（ｂ）は部分断面側面図、（ｃ）はＩＩ−ＩＩ横断面図である。
【符号の説明】
１０    ソレノイド部
１１    磁気ケース
１１ａ，１１ｆ，１１ｈ  切り込み
１１ｂ，１１ｇ，１１ｊ  かしめ片
１２    コイル
１３    ボビン
１４    固定鉄心（固定磁極部材）
１５    可動鉄心
１６    磁気板
２０    弁部
２１    弁ボディ
２１ｂ  凹部
２１ｃ  内壁面
【図１】
0003863745.tif 000002
【図２】
0003863745.tif 000003
【図３】
0003863745.tif 000004
【図４】
0003863745.tif 000005
【図５】
0003863745.tif 000006
【図６】
0003863745.tif 000007